(57)【要約】      （修正有）【課題】パターの練習を効率的に行い、短期的に上達を図ることができるゴルフパター練習具を得ること。【解決手段】パターＰのグリップＧと手首との間に介装され、パタースイング時、グリップＧと手首との間隔を一定に維持して両肩と両手の間にできる三角形を崩さないよう手首を固定するための間隔保持体２と、間隔保持体２をパターＰのグリップＧの上部に着脱可能に取り付ける取付手段３とを設けた。【選択図】図３
0003141289.tif 000002
【実用新案登録請求の範囲】
【請求項１】
パターのグリップと手首との間に介装され、パタースイング時、グリップと手首との間隔を一定に維持して両肩と両手の間にできる三角形を崩さないよう手首を固定するための間隔保持体と、間隔保持体をパターのグリップの上部に着脱可能に取り付ける取付手段とを備えていることを特徴とするゴルフパター練習具。
【請求項２】
間隔保持体が球状を呈する一方、取付手段がパターのグリップにおける上部の中央孔部への挿込みにより着脱可能な先細まりの差込体と、差込体と球状間隔保持体とを連結する紐状体とからなることを特徴とする請求項１に記載のゴルフパター練習具。
【請求項３】
間隔保持体がパターグリップに巻き付けて固定するバンド式取付手段を備えた基部と、手首への当接面を有する保持部と、基部に保持部を連結すると共に基部に対する保持部の間隔を調整するねじ調整機構とからなり、ねじ調整機構により基部に対する保持部の螺合位置を調整することにより間隔保持体の長さを任意に調整可能としたことを特徴とする請求項１に記載のゴルフパター練習具。
【考案の詳細な説明】
【技術分野】
【０００１】  本考案は、ゴルフにおけるパタースイングの練習を行なうためのゴルフパター練習具に関する。
【技術背景】
【０００２】  ゴルフにおけるパタースイングを行なう場合、通常図７に示すように両肩と両手の間にできる三角形状Ａを崩さず手首を固定し、その三角形状Ｓを保ちながら振り子式にバックスイングし、その後、さらに三角形状Ｓを保ちながら振り子式に前方へ押し出すようにスイングを行なうようにしている。
【考案の開示】
【考案が解決しようとする課題】
【０００３】  しかし、一般的に練習場でドライバーやアイアン等のクラブを振ることには熱心であっても、なかなか地味なパターの練習に時間をとることは少ない。そのため、初心者においては短時間のうちにパタースイングにおける両肩と両手の間にできる最良の三角形状Ｓのフォームを十分に掴みこむことができないといった問題があった。その結果、最良の三角形状Ｓのフォームが定まらない状態のままパタースイングをするため、常に安定したスムーズなストロークが得られず、このパターの不調がスコアに大きな悪影響を与える問題を有していた。また、振り子式にパタースイングをしたとき、スイング途中で手首の固定が弛んでせっかく作られていた三角形状Ｓのフォームが崩れてしまうといった問題も有していた。【０００４】  そこで、本考案は、パターの練習を効率的に行い、短期的に上達を図ることができるゴルフパター練習具の提供を課題とする。
【課題を解決するための手段】
【０００５】  上記問題を解決するため、本願の請求項１に記載の考案は、パターのグリップと手首との間に介装され、パタースイング時、グリップと手首との間隔を一定に維持して両肩と両手の間にできる三角形を崩さないよう手首を固定するための間隔保持体と、間隔保持体をパターのグリップの上部に着脱可能に取り付ける取付手段とを備えていることを特徴とする。【０００６】  本願の請求項２に記載の考案は、上記した請求項１に記載の間隔保持体が球状を呈する一方、取付手段がパターのグリップにおける上部の中央孔部への挿込みにより着脱可能な先細まりの差込体と、差込体と球状間隔保持体とを連結する紐状体とからなることを特徴とする。【０００７】  本願の請求項３に記載の考案は、上記した請求項１に記載の間隔保持体がパターグリップに巻き付けて固定するバンド式取付手段を備えた基部と、手首への当接面を有する保持部と、基部に保持部を連結すると共に基部に対する保持部の間隔を調整するねじ調整機構とからなり、ねじ調整機構により基部に対する保持部の螺合位置を調整することにより間隔保持体の長さを任意に調整可能としたことを特徴とする。
【考案の効果】
【０００８】  上記した構成によれば、間隔保持体をグリップと手首との間に介装することによりグリップと手首との間隔を一定に維持して両肩と両手の間に最良の三角形を形成することができる。そして、パタースイング時、グリップと手首との間に挟み込んだ間隔保持体がグリップと手首との間から落下しないようにスイングすることにより、三角形状を保ったままのフォームで安定したスムーズなパタースイングが直ちに行なえることになる。したがって、最良の三角形状を保ったフォームでのパター練習が直ちにかつ簡単容易に行なうことができ、パターの練習を効率的に行い、短期的に上達を図ることができる。また、振り子式にパタースイングを行なうとき、手首の弛みの確認も同時に行なうことができる。【０００９】  また、間隔保持体として球状体を用い、また、取付手段としてパターのグリップにおける上部の中央孔部への挿込みにより着脱可能な先細まりの差込体と、差込体と球状体とを連結する紐状体とから構成すれば、簡単な構成で安価にパター練習用補助具を提供できると共に、間隔保持体をパターのグリップに簡単な挿込みと引抜きだけの簡単な動作により迅速容易に取り付けることができるのでこのましい。【００１０】  さらに、間隔保持体として、パターのグリップに巻き付けて固定するバンド式取付手段を備えた基部と、手首への当接面を有する保持部と、基部に保持部を連結すると共に基部に対する保持部の間隔を調整するねじ調整機構とから構成し、ねじ調整機構により基部に対する保持部の螺合位置を調整することにより間隔保持体の長さを任意に調整可能とした構成にすれば、間隔保持体をパターのグリップにマジックファスナー等のバンドによりワンタッチで着脱できると共に、プレーヤーに応じて間隔保持体によるグリップと手首との間隔を微調整することが可能となり、これにより両肩と両手の間により最良の三角形を形成することができるのでこのましい。
【考案を実施するための最良の形態】
【００１１】  以下、本考案の実施の形態を図に基づいて説明する。【００１２】  図１〜図３は、本考案に係るゴルフパター練習具を示すもので、該パター練習具１は、パターＰのグリップＧと手首Ｔとの間に介装され、パタースイング時、グリップ部Ｇと手首Ｔとの間隔を一定に維持して両肩と両手の間にできる三角形Ｓを崩さないよう手首Ｔを固定するための間隔保持体２と、間隔保持体２をパターＰのグリップＧの上部に着脱可能に取り付ける取付手段３とを備えている。【００１３】  具体的には、間隔保持体２として例えばゴルフボールなどの球状部材を用いる一方、取付手段３としてパターＰのグリップＧにおける上部中央孔Ｇ１への挿込みにより着脱自由に装着できる先細まりのピン状差込体４と、差込体４と球状の間隔保持体２とを連結する紐状体５とを用いている。そして、紐状体５の一端が球状間隔保持体２に設けられた引掛部２ａに掛止され、他端がピン状差込体４の頭部４ａの溝部に掛止されている。また、ピン状差込体４のグリップＧにおける上部中央孔Ｇ１への挿込みにより間隔保持体２は図２に示すように落下することなく釣り下げ状に支持される。【００１４】  次に、以上のように構成するゴルフパター練習具の作用について説明する。その場合、代表例として右利きのプレイヤーが一般的に右スイングする場合について説明する。【００１５】  図２に示すようにパターＰのグリップＧにおける上部中央孔Ｇ１にピン状差込体４を挿し込んで、ゴルフパター練習具１をパターＰのグリップＧに取り付ける。これにより、ゴルフパター練習具１はパターＰのグリップＧに紐状体５を介して釣り下げ状に支持される。【００１６】  その後、図３に示すように左手を通常の所定位置に位置させて握る一方、球状の間隔保持体２を右手の手首Ｔとグリップ１１との間に挟み込んだ状態で間隔保持体２が手首Ｔから落ちないように握る。これにより、グリップＧと手首Ｔとの間に介装された間隔保持体２によりグリップＧと手首Ｔとの間隔を一定に維持して両肩と両手の間に最良の三角形を形成することができる。そして、パタースイング時、グリップＧと手首Ｔとの間に挟み込んだ間隔保持体２がグリップＧと手首Ｔとの間から落下しないようにスイングする。これにより、三角形状を保ったままのフォームで安定したスムーズなパタースイングが直ちに行なえることになる。したがって、最良の三角形状のフォームのパター練習が直ちにかつ簡単容易に行なうことができ、パターＰの練習を効率的に行い、短期的に上達を図ることができる。また、振り子式にパタースイングを行なうとき、手首Ｔの弛みの確認も同時に行なうことができるので、最良の三角形状のフォームがスイング途中で崩れてしまうといったことも容易に解決することができる。【００１７】  また、図４及び図５は別のゴルフパター練習具１Ａを示すもので、間隔保持体２がパターＰのグリップＧに巻き付けて固定するマジックファスナー付きのバンド式取付手段３Ａを備えた基部２１Ａと、手首Ｔへの当接面を有するパッド状の保持部２２Ａと、基部２１Ａに保持部２２Ａを連結すると共に基部２１Ａに対する保持部２２Ａの間隔を調整するねじ調整機構２３Ａとからなり、ねじ調整機構２３Ａにより基部２２Ａに対する保持���２２Ａの螺合位置を調整することにより間隔保持体２Ａの長さ、つまり基部２１Ａと保持部２２Ａとの間隔を任意に調整可能に構成したものである。【００１８】  斯かる構成としたゴルフパター練習具１Ａの場合にも先に述べたパター練習用補助具１と同様の作用効果が得られると共に、上述したねじ調整機構２３Ａにより基部に対する保持部２２Ａの螺合位置を調整することにより間隔保持体の長さ、つまり基部２１Ａと保持部２２Ａとの間隔を任意に調整可能に構成したから、プレーヤーに応じて間隔保持体２ＡによるグリップＧと手首Ｔとの間隔を微調整することにより両肩と両手の間に最良の三角形をより正確に形成することができる。【００１９】  図６はさらに別のゴルフパター練習具１Ｂを示すもので、先に述べた２番目のパッド状の保持部２２Ａを樹脂や木製などの球状保持部２２Ｂとしたものである。なお、その他の部分の説明については先に述べた２番目のゴルフパター練習具１Ａと同様の構造なので符号のみを付しその説明については省略する。【００２０】  斯かる構成としたゴルフパター練習具１Ｂの場合にも先に述べた２番目のゴルフパター練習具１Ａと同様の作用効果が得られる。【００２１】  また、上記した実施の形態ではマジックファスナー付きの開閉バンド式取付手段３を用いたけれども、なんらこの開閉バンドに限定されるものではなく例えば環状のゴム式バンドからなる取付手段などであってもよいことは勿論である。
【図面の簡単な説明】
【００２２】
【図１】  本考案に係るゴルフパター練習具の正面図である。
【図２】  ゴルフパター練習具のパターへの取付状態の正面図である。
【図３】  同使用状態の正面図である。
【図４】  別のゴルフパター練習具の正面図である。
【図５】  同使用状態の正面図である。
【図６】  さらに別のゴルフパター練習具の正面図である。
【図７】  従来の説明図である。
【符号の説明】
【００２３】１        ゴルフパター練習具
１Ａ      ゴルフパター練習具
１Ｂ      ゴルフパター練習具
２Ａ      間隔保持体
２Ｂ      間隔保持体
２        間隔保持体
３        取付手段
３Ａ      取付手段
３Ｂ      取付手段
４        差込体
５        紐状体
２１Ａ    基部
２１Ｂ    基部
２２Ａ    保持部
２２Ｂ    保持部
２３Ａ    ねじ調整機構
２３Ｂ    ねじ調整機構
【図１】
0003141289.tif 000003
【図２】
0003141289.tif 000004
【図３】
0003141289.tif 000005
【図４】
0003141289.tif 000006
【図５】
0003141289.tif 000007
【図６】
0003141289.tif 000008
【図７】
0003141289.tif 000009